(57)【要約】      （修正有）【課題】反射材がより強固な構造で雨具本体に固定されて使用安全性がより高められた雨具を提供する。【解決手段】エチレン酢酸ビニル（ＥＶＡ）またはポリエチレン酢酸ビニル（ＰＥＶＡ）からなる雨具本体４と、光反射性を有する反射面５１１とその反対面である背面とを有し背面が雨具本体４の外表面にホットメルト接着剤で熱溶着されて雨具本体４に固定されている反射材５１と、を備えることを特徴とする雨具。【選択図】図２
0003193692.tif 000002
【実用新案登録請求の範囲】
【請求項１】
エチレン酢酸ビニル（ＥＶＡ）またはポリエチレン酢酸ビニル（ＰＥＶＡ）からなる雨具本体と、
光反射性を有する反射面と該反射面の反対面である背面とを有し、該背面が前記雨具本体の外表面にホットメルト接着剤で熱溶着されて前記雨具本体に固定されている反射材と、
を備えることを特徴とする雨具。
【請求項２】
前記ホットメルト接着剤は、エチレン酢酸ビニル（ＥＶＡ）系ホットメルト接着剤である
ことを特徴とする請求項１に記載の雨具。
【請求項３】
前記反射材は、反射布であって、少なくとも前記背面が繊維質の材料で構成されている
ことを特徴とする請求項１または２に記載の雨具。
【請求項４】
前記雨具本体が、着用者の足を包めるように形成されたソール部と、該ソール部から筒状に延伸して着用者の脛周りを包めるように形成されたアッパー部と、からなる雨靴として構成されており、前記反射材は、前記ソール部と前記アッパー部との少なくともいずれか一つの外表面に固定されている
ことを特徴とする請求項１〜請求項３のいずれか一項に記載の雨具。
【請求項５】
前記雨具本体が、身頃部を有するレインウェアとして構成されており、前記反射材は、前記身頃部の外表面に固定されている
ことを特徴とする請求項１〜請求項３のいずれか一項に記載の雨具。
【請求項６】
前記雨具本体は、前記身頃部から延伸するように形成された一対の袖部を更に有し、前記反射材は、前記身頃部および各前記袖部それぞれの外表面に固定されている
ことを特徴とする請求項５に記載の雨具。
【請求項７】
前記身頃部は、前身頃と、前記前身頃と繋がっている後身頃と、を有し、前記反射材は、前記後身頃の外表面に固定されている
ことを特徴とする請求項５または請求項６に記載の雨具。
【請求項８】
前記雨具本体が、傘布を有する雨傘として構成されており、前記反射材は、前記傘布の外表面に固定されている
ことを特徴とする請求項１〜請求項３のいずれか一項に記載の雨具。
【請求項９】
前記反射材は、複数個が間隔をおいて前記傘布の外表面に固定されている
ことを特徴とする請求項８に記載の雨具。
【考案の詳細な説明】
【技術分野】
【０００１】
本考案は、反射材が設けられた雨具に関するものである。
【背景技術】
【０００２】
レインウェア（上下つながりのレインコート、上下別々のレインスーツなどを含む）、雨靴、雨傘などの雨具は、雨天での被視認性が高い比較的鮮やかな色、例えば黄色や水色などに着色された材料を用いて、交通上の安全性の向上を図ったものが多い。
【０００３】
また、安全性を更に高めるために、入射した光を再び入射方向へ反射する再帰反射性を有する反射材を雨具に設けたものもある。
【考案の概要】
【考案が解決しようとする課題】
【０００４】
しかしながら、従来の反射材が設けられた雨具は、反射材が雨具本体に縫い合わされたり粘着されるようにして固定されたものであり、固定が強固でなく、長く使用していると反射材が取れてしまうことがある。特に雨具がレインウェアである場合、反射光を目立たせるために動きの多い部位、例えば袖部などに反射材が設けられることが多いが、動きの多い部位は摩擦されやすい部位でもあるので、反射材が容易に取れ落ちてしまいがちである。
【０００５】
本考案は、上記従来技術の問題点に鑑みてなされたものであり、その目的は、反射材がより強固な構造で雨具本体に固定されて、使用安全性がより高められた雨具の提供にある。
【課題を解決するための手段】
【０００６】
上記目的を達成するための手段として、本考案は、以下の雨具を提供する。
【０００７】
即ち、エチレン酢酸ビニル（ＥＶＡ）またはポリエチレン酢酸ビニル（ＰＥＶＡ）からなる雨具本体と、光反射性を有する反射面と該反射面の反対面である背面とを有し、該背面が前記雨具本体の外表面にホットメルト接着剤で熱溶着されて前記雨具本体に固定されている反射材と、を備えることを特徴とする雨具を提供する。
【０００８】
本考案に係る雨具において、前記ホットメルト接着剤は、エチレン酢酸ビニル（ＥＶＡ）系ホットメルト接着剤であることが好ましい。
【０００９】
また、前記反射材は反射布であって、少なくとも前記背面が繊維質の材料で構成されていることが好ましい。
【００１０】
また、本考案に係る雨具は、前記雨具本体を、着用者の足を包めるように形成されたソール部と、該ソール部から筒状に延伸して着用者の脛周りを包めるように形成されたアッパー部と、からなる雨靴として構成し、前記反射材が、前記ソール部と前記アッパー部との少なくともいずれか一つの外表面に固定されているように構成することもできる。
【００１１】
また、本考案に係る雨具は、前記雨具本体を、身頃部を有するレインウェアとして構成し、前記反射材が、前記身頃部の外表面に固定されているように構成することもできる。
【００１２】
前記雨具本体を上述のレインウェアとして構成する場合、前記雨具本体が、前記身頃部から延伸するように形成された一対の袖部を更に有し、前記反射材が、前記身頃部および各前記袖部それぞれの外表面に固定されていることが好ましい。
【００１３】
更に、前記身頃部は、前身頃と、前記前身頃と繋がっている後身頃と、を有し、前記反射材は、前記後身頃の外表面に固定されていることが好ましい。
【００１４】
また、本考案に係る雨具は、前記雨具本体を、傘布を有する雨傘として構成し、前記反射材が、前記傘布の外表面に固定されているように構成することもできる。
【００１５】
前記雨具本体を上述の雨傘として構成する場合、前記反射材は、複数個が間隔をおいて前記傘布の外表面に固定されていることが好ましい。
【考案の効果】
【００１６】
上記手段によれば、反射材の雨具本体への固定が従来より強固なので、反射材が雨具本体から脱落しにくい。よって、反射材による被視認性の向上が長く保持され、使用安全性がより高められた雨具を提供できる。
【図面の簡単な説明】
【００１７】
【図１】本考案に係る雨具の第１の実施形態を示す正面図である。
【図２】上記第１の実施形態を示す背面図である。
【図３】上記工程を示す説明図である。
【図４】本考案に係る雨具の第２の実施形態を示す正面図である。
【図５】上記第２の実施形態を示す平面図である。
【図６】上記第２の実施形態の変化例を示す平面図である。
【図７】本考案に係る雨具の第３の実施形態を示す斜視図である。
【考案を実施するための形態】
【００１８】
以下、添付図面を参照しながら、本考案に係る雨具の具体的な各実施形態を詳細に説明する。
【００１９】
（第１の実施形態：レインウェア）
図１、図２には、本考案に係る雨具の第１の実施形態がそれぞれ正面図及び背面図で示されている。本実施形態では、雨具３はレインコートとして構成されており、着用に供する雨具本体４と、雨具本体４に固定されている複数の反射材５１と、を備えている。なお、以下の説明における前後左右および内外は、着用者から見た場合の方向を指す。
【００２０】
雨具本体４は、エチレン酢酸ビニル樹脂（ＥＶＡ）またはポリエチレン酢酸ビニル樹脂（ＰＥＶＡ）からなっており、着用者の体幹を覆うことができるように形成された身頃部４１と、着用者の腕部を覆うことができるよう身頃部４１の上端付近左右からそれぞれ延伸するように形成された左右一対の袖部４２と、を有する。身頃部４１は、前身頃４１１と、前身頃４１１と繋がっている後身頃４１２と、を有する。なお、本実施形態では、前身頃４１１が全体的に左右に分かれる全開式となるよう構成したが、他の例として、半開式、または開きがないもの（いわゆるレインポンチョ）として構成してもよい。また、図示では前身頃４１１の開閉がボタン式となっているが、線ファスナー式、面ファスナー式であっても構わない。
【００２１】
反射材５１は、後身頃４１２及び各袖部４２の外表面にそれぞれ固定されている。具体的に言うと、本実施形態では、反射材５１を、後身頃４１２の上側の外表面に左右に延伸するように、また、各袖部４２の末端近くの外表面に各袖部４２を周回するようにそれぞれ固定した。反射材５１の形状、数量および固定位置はこれに限らず、需要に応じて任意に設けることができる。
【００２２】
反射材５１としては、反射布を用いており、光反射性を有する反射面５１１と、その反対面である背面５１２と、を有し、該反射布は、少なくとも背面５１２側が繊維質の材料で構成されている。また、背面５１２は、エチレン酢酸ビニル（ＥＶＡ）系のホットメルト接着剤５２で被覆されていると共に、ホットメルト接着剤５２で熱溶着されて雨具本体４の外表面にそれぞれ固定されている。なお、反射布は様々なタイプがあるが、従来技術なので、ここでは贅説を省く。
【００２３】
以下では、反射材５１と雨具本体４との固定構造をより詳細に説明するため、図２、図３を参照して、上記熱溶着による固定の工程を説明する。
【００２４】
まず、第１のステップでは、反射材５１の背面５１２をホットメルト接着剤５２で被覆する。本実施例ではフィルム状に形成されたＥＶＡ系のホットメルト接着剤５２を背面５１２に貼り付ける方法を採ったが、これに限らず、例えば２成分形のポリウレタン系ペーストと、ＥＶＡ粉末と、硬化剤と、を混合してなったグルー状のホットメルト接着剤を、背面５１２に塗布する方法を採ってもよい。また、ホットメルト接着剤５２としては、一般に用い得るその他のものを用いてもかまわない。
【００２５】
次に、第２のステップでは、反射材５１を雨具本体４に固定して本考案に係る雨具３を構成する。各反射材５１の背面５１２に設けられたホットメルト接着剤５２を、雨具本体４の外表面に重ね、ホットプレスを施す。すると、ホットメルト接着剤５２は、溶けて雨具本体４の外表面に溶着すると共に、反射材５１の背面５１２を構成する繊維質に染み入る。これにより反射材５１が雨具本体４の外表面に固定される。なお、上述のホットプレスは、例えば超音波ホットプレス、高周波ホットプレスなどで行うことができる。
【００２６】
上述の工程によって反射材５１が雨具本体４に固定された構造を有する雨具３は、雨具本体４と同質の材料からなるホットメルト接着剤５２が、反射材５１の背面５１２に染み入っていると共に雨具本体４の外表面に固着しているので、反射材５１の雨具本体４への固定が強固であり、長期間の使用でも反射材５１が雨具本体４から取れてしまうことが起きにくい。これによって、反射材５１による被視認性の向上が長く保持され、使用安全性がより高められる。
【００２７】
（第２の実施形態：傘）
図４、図５、図６には、本考案に係る雨具の第２の実施形態が示されており、その内、図４は正面図、図５および図６はそれぞれ上方から見た平面図である。本実施形態において雨具３は、雨具本体４が、開閉できるように構成された骨組４３と、骨組４３に設けられた傘布４４と、を備える一般の雨傘として構成されている。
【００２８】
図５は、本実施形態の一例を示しており、反射材５１は複数個が間隔をおいて傘布４４の外表面に傘布４４の周縁に沿って延伸するように固定されている。また、図６は、本実施形態の変化例を示しており、反射材５１は複数個が傘布４４の中心から周縁に向かって放射状に延伸するように傘布４４の外表面に固定されている。
【００２９】
本実施形態において、傘布４４は第１の実施形態の雨具本体４と同様にエチレン酢酸ビニル樹脂（ＥＶＡ）またはポリエチレン酢酸ビニル樹脂（ＰＥＶＡ）からなっている。また、反射材５１の構成及び反射材５１の雨具本体４への固定方法も第１の実施形態と同様である。よって、本実施形態に係る雨具（雨傘）も、反射材５１が雨具本体４に強固に固定されており、第１の実施形態と同様の効果が得られる。
【００３０】
（第３の実施形態：雨靴）
図７は、本考案に係る雨具の第３の実施形態を示す斜視図である。本実施形態において雨具３は、雨具本体４が、着用者の足を包めるように形成されたソール部４５と、ソール部４５のかかと側から上方に筒状に延伸して着用者の脛周りを包めるように形成されたアッパー部４６と、からなる雨靴として構成されている。
【００３１】
反射材５１は、図示ではアッパー部４６の後ろ側の外表面に固定されているが、ソール部４５側に固定することもでき、アッパー部４６とソール部４５とのいずれか一方または両方に反射材５１を設けることができる。
【００３２】
本実施形態においても、第１の実施形態と同様に雨具本体４はエチレン酢酸ビニル樹脂（ＥＶＡ）またはポリエチレン酢酸ビニル樹脂（ＰＥＶＡ）からなっている。また、反射材５１の構成及び反射材５１の雨具本体４への固定方法も第１の実施形態と同様である。よって、本実施形態に係る雨具（雨靴）も、反射材５１が雨具本体４に強固に固定されており、第１の実施形態と同様の効果が得られる。
【００３３】
以上、本考案の好ましい実施形態を説明したが、本考案はこれに限定されるものではなく、その要旨を逸脱しない範囲で種々変更可能である。
【産業上の利用可能性】
【００３４】
本考案に係る雨具は、使用者の被視認性が高いという効果が長期間保持されるので、長く交通事故の発生を防ぐことができる雨具として有用である。
【符号の説明】
【００３５】
３          雨具
４          雨具本体
４１        身頃部
４１１      前身頃
４１２      後身頃
４２        袖部
４３        骨組
４４        傘布
４５        ソール部
４６        アッパー部
５１        反射材
５１１      反射面
５１２      背面
５２        ホットメルト接着剤
【図１】
0003193692.tif 000003
【図２】
0003193692.tif 000004
【図３】
0003193692.tif 000005
【図４】
0003193692.tif 000006
【図５】
0003193692.tif 000007
【図６】
0003193692.tif 000008
【図７】
0003193692.tif 000009